(57)【要約】【課題】免震建物におけるエアコン室外機の配置を考慮して、地震発生時においても上部構造体との衝突にする破損や、地盤の振動による転倒を防止できるようにする。【解決手段】地盤１０上に形成された基礎３と、該基礎３上に形成される免震層と、該免震層上に支承された上部構造体２から構成された免震建物におけるエアコン室外機５の取付構造において、エアコン室外機５を前記上部構造体２に一体的に取り付られた載置台２０に載置固定して、地震時に上部構造体２と一体的に動作するように配置した。【選択図】図１
2005207703.tif 000002
【特許請求の範囲】
【請求項１】
地盤上に形成される基礎と、該基礎上に形成される免震層と、該免震層上に支承される上部構造体と、から構成される免震建物にエアコン室外機を取り付ける構造であって、
エアコン室外機を前記上部構造体に一体的に取付られた載置台に固定して、地震時に上部構造体と一体的に動くように配置した
ことを特徴とする免震建物におけるエアコン室外機の取付構造。
【請求項２】
前記載置台を、上部構造体の土台梁に固定した少なくとも２本の腕木と、該腕木の先端部に固定した面材と、各腕木に懸架した少なくとも２本の支持板と、から構成した
ことを特徴とする請求項１記載の免震建物におけるエアコン室外機の取付構造。
【請求項３】
前記載置台に、所定サイズのエアコン室外機を載置可能にする調節機構を設けた
ことを特徴とする請求項１又は、請求項２記載の免震建物におけるエアコン室外機の取付構造。
【請求項４】
前記腕木を水平方向に隣接する各外壁パネルの目地部から突出した
ことを特徴とする請求項２記載の免震建物におけるエアコン室外機の取付構造。
【発明の詳細な説明】
【技術分野】
【０００１】
本発明は、基礎上に配置した免震装置にて上部構造体を免震支承して構成される免震建物に関し、特に、該免震建物にエアコン室外機を配置する場合における取付構造に関する。
【背景技術】
【０００２】
従来、積層ゴム支承、転がり支承、滑り支承等によって基礎に対して上部構造体を相対変位可能に構成された免震建物が知られている。この免震建物においては、地震発生時に、上部構造体に伝達される振動エネルギーが緩和され、建物の倒壊並びに、建物内の家具等の転倒が防止されるようになっているものである。
【０００３】
このような免震建物において、揺れの緩和を図る免震装置に関しては多数の技術が存在しており、さらに、基礎と上部構造体との隙間部を遮蔽することで免震層へ子供や小動物が侵入できないようにする技術（特許文献１参照）や、配管にフレキシブルな継手を連結することで、地震による基礎と上部構造体の相対変位時においても配管の破損を防止できる技術（特許文献２参照）等の技術が公開されているものである。
【０００４】
しかしながら、従来では、免震建物におけるエアコン室外機等の配置構造に関してはあまり考慮されていないものであった。
即ち、図４の従来の免震住宅におけるエアコン室外機の配置構造に示すように、免震建物において、エアコン室外機５を、通常の建物と同様に地盤１０上等に配置していると（図４（ａ））、地震発生時に基礎３に対する上部構造体２の相対変位により、上部構造体２がエアコン室外機５に衝突して（図４（ｂ））、それによりエアコン室外機５を破損してしまうことがあった。また、例えば、上部構造体とエアコン室外機との衝突を防止するために、エアコン室外機を上部構造体とある程度距離を離間して配置した場合においても、上部構造体との衝突は回避できるものの、地盤の振動により転倒する虞があったのである。また、エアコン室外機５に配管されるホース等が外れたり、冷媒の漏れが生じたりするおそれもあった。
【０００５】
【特許文献１】特開２０００−３２０１８４号公報
【特許文献２】特開２０００−１４４８２２号公報
【発明の開示】
【発明が解決しようとする課題】
【０００６】
上記のような背景技術に基づき、本発明においては、免震建物におけるエアコン室外機の配置、及びその取付構造を考慮して、地震発生時においても上部構造体との衝突にする破損や、地盤の振動による転倒を防止できるようにするものである。
また、所定サイズのエアコン室外機に適応できるように取付構造を考慮するものである。
【課題を解決するための手段】
【０００７】
本発明の解決しようとする課題は以上の如くであり、次にこの課題を解決するための手段を説明する。
【０００８】
即ち、請求項１においては、地盤上に形成される基礎と、該基礎上に形成される免震層と、該免震層上に支承される上部構造体と、から構成される免震建物にエアコン室外機を取り付ける構造であって、エアコン室外機を前記上部構造体に一体的に取付られた載置台に固定して、地震時に上部構造体と一体的に動くように配置したものである。
【０００９】
請求項２においては、前記載置台を、上部構造体の土台梁に固定した少なくとも２本の腕木と、該腕木の先端部に固定した面材と、各腕木に懸架した少なくとも２本の支持板と、から構成したものである。
【００１０】
請求項３においては、前記載置台に、所定サイズのエアコン室外機を載置可能にする調節機構を設けたものである。
【００１１】
請求項４においては、前記腕木を水平方向に隣接する各外壁パネルの目地部から突出したものである。
【発明の効果】
【００１２】
本発明の効果として、以下に示すような効果を奏する。
【００１３】
請求項１においては、地震発生時において載置台に載置固定されたエアコン室外機は上部構造体と一体的に動作する。即ち、免震装置にて免震された上部構造体と一体的に動作するため、上部構造体と衝突することによる破損や、地盤の振動による転倒を防止することができる。
【００１４】
請求項２においては、載置台を簡単な構造で構成することができ、低コストでの製作が可能となるのである。
【００１５】
請求項３においては、所定範囲内のサイズのエアコン室外機を配置することが可能となり、汎用性の向上を図ることができる。
【００１６】
請求項４においては、エアコン室外機の載置台を取り付けるために、外壁に別段穴をあける必要がなく、外観上において、美観を損なうことがない。
【発明を実施するための最良の形態】
【００１７】
次に、発明の実施の形態を説明する。
図１は本発明に係る免震建物におけるエアコン室外機の取付構造を示す斜視図、図２は同じく縦断面図、図３は同じく平面図、図４は従来の免震建物におけるエアコン室外機の配置構造を示す縦断面図である。
【００１８】
本発明における免震建物は、地盤上に形成された基礎上に積層ゴム等のアイソレータからなる免震装置を介して上部構造体が載置され、上部構造体が地盤に対して略絶縁された状態に支承されて構成されている。そして、上部構造体は基礎に対して水平方向に相対変位可能に免震支承され、地震時には地盤の振動が緩和されて上部構造体の揺れが緩和される構造となっているものである。
【００１９】
本発明に係る免震建物におけるエアコン室外機の取付構造に関し、エアコン室外機の配置構成について説明する。
図１に示すように、地盤上に形成された基礎３と、該基礎３上に形成される図示せぬ免震装置と、該免震装置上に支承された上部構造体２から構成された免震建物において、エアコン室外機５は前記上部構造体２に取付られた載置台２０に載置固定されており、地震時には上部構造体２と一体的に動作するように配置されている。
【００２０】
前記エアコン室外機５は、免震建物の外壁に沿って配置されており、図１に示すように基礎３上に縁切１を介して配された上部構造体２の外壁から突出された載置台２０上に固定されている。
【００２１】
図２に示すように、前記上部構造体２の外壁は、土台梁４に対して固定された下外壁パネル１２と、該下外壁パネル１２の上部であって外壁表面に形成された上外壁パネル１５から構成されており、上下の各外壁パネル１２・１５間の水平目地には水切板１７が配置されている。
また、前記下外壁パネル１２の下方には垂れ壁見切８が配置されて、該垂れ壁見切８により上部構造体２の外壁の底部が構成されている。該垂れ壁見切８は土台梁４の底部に対して固定され、その下部側を屋外側に突出した構造としており、突出部の上面と前記下外壁パネル１２の下部との間にシーリングを施して水漏れ等を防止するようにしている。
そして、該垂れ壁見切８の下方と基礎３上方との隙間部に縁切１が構成され、地震時においては該縁切１にて相対変位が生じる構成となっているのである。
【００２２】
このような上部構造体２の外壁構造において、エアコン室外機５が載置される載置台２０は水平方向に隣接する各下外壁パネル１２の目地部１２ａから地盤に対して水平方向であって、外壁に対して垂直方向に突出されているものである。
【００２３】
図２及び図３に示すように、前記載置台２０は土台梁４と一体のスチフナー４ａに固定された少なくとも２本の腕木２１・２１と、該腕木２１・２１の先端部に固設された平面視コ字状の面材２２と、各腕木２１・２１に懸架される少なくとも２本の支持板２４・２４から構成されている。
なお、本実施例においては、前記腕木２１と支持板２４とは各２本設けているが、エアコンの室外機を支持できれば本数は限定されるものではなく、エアコン室外機の重量に応じて３本以上にしてもよい。
【００２４】
前記各腕木２１・２１は金属製の板体で構成されており、土台梁４に固定される基部側の固定部２１ａを先端側より面積を広くしており、土台梁４のスチフナー４ａに対して広範囲の接触面積をとって剛性の強化を図っている。前記各腕木２１・２１は水平方向に隣接する各下外壁パネル１２の目地部１２ａから外壁に対して垂直方向に突出され、水平方向に並設されている。該腕木２１・２１が突出される目地部１２ａにおいて、腕木２１が突出される箇所以外には、発泡エチレン等でスポンジ状に形成されたバックアップ材を内装して、表面上をシールジョイントするようにしており、目地部１２ａから外壁内部への浸水を防止している。
また、前記腕木２１・２１はそれぞれ上下方向に広い面となるように配置しており、腕木上部に重圧がかかった場合にも折れたり、撓んだりしないようにしている。
【００２５】
前記腕木２１・２１上面には、各腕木２１・２１間に懸架される支持板２３・２３を固設しており、該支持板２３・２３上にエアコン室外機５が載置される構成としている。各支持板２３・２３には、それぞれ長手方向に少なくとも二つの長孔２３ａ・２３ａが設けられており、該長孔２３ａ・２３ａ上にエアコン室外機５の足場となる受板２４・２４が配置されている。該受板２４・２４の中央部には孔が開口されており、該孔にボルトやピン等を挿通するとともに下方の長孔２３ａに挿通させて固定することで、前記長孔２３ａ・２３ａ上を受板２４が水平方向に摺動できるようにしている。このように、受板２４を摺動可能に構成することで、エアコン室外機の幅サイズに合わせて受板２４の位置を変更することができるようにしている。
【００２６】
また、前記腕木２１・２１と前記支持板２３との連結部には補助板２５・２５を設けており、該補助板２５・２５には前記支持板２３と同様にそれぞれ長孔を設け、エアコン室外機５の奥行サイズに対応できるようにしている。
以上のように、前記支持板２３に長孔２３ａを設けて、該長孔２３ａ上に受板２４を摺動自在に配置して、腕木２１と支持板２３との連結部に補助板２５を設けることで、調節機構を構成しているので、載置台２０上に所定範囲内のサイズのエアコン室外機５を載置できるようになるのである。
【００２７】
また、前記面材２２は前記各腕木２１・２１の先端部に固着されており、載置台２０上に載置固定されるエアコン室外機５の前面をカバーするようにして、多少の揺れでは載置台２０からエアコン室外機２０が落下しないようにしている。なお、前記面材２２は外観上、エアコン室外機５が剥き出しになって美観を損なわないためのカバーとしても機能するものであり、また、直射日光等に対する防御壁としても機能するものである。
また、前記面材２２には複数の孔が設けられており、エアコン室外機５の通気性は阻害しない構成としているものである。
【００２８】
以上の載置台２０の構成により、エアコン室外機５を確実に保持するとともに、免震建物の上部構造体２に一体的に取り付けることができる。これにより、地震が発生した場合においても、従来のように上部構造体との衝突による破損や、地盤の振動による転倒を防止することができるのである。
【図面の簡単な説明】
【００２９】
【図１】本発明に係る免震建物におけるエアコン室外機の取付構造を示す斜視図。
【図２】同じく縦断面図。
【図３】同じく平面図。
【図４】従来の免震建物におけるエアコン室外機の配置構造を示す縦断面図。
【符号の説明】
【００３０】
１    縁切
２    上部構造体
３    基礎
４    土台梁
４ａ  スチフナー
５    エアコン室外機
１０  地盤
１２  下外壁パネル
１２ａ  目地部
２０  載置台
２１  腕木
２１ａ  固定部
２２  面材
２３  支持板
２４  受板
２５  補助板
【図１】
2005207703.tif 000003
【図２】
2005207703.tif 000004
【図３】
2005207703.tif 000005
【図４】
2005207703.tif 000006